(57)【要約】【課題】簡易にモアレを改善することができる表示装置を提供することを目的とする。【解決手段】本開示の表示装置は、表示部と、第１の方向に垂直な第２の方向に延伸する複数の単位領域が、前記第１の方向に列状に配置されるバリア部とを有し、前記単位領域から透過される光の透過率が、前記バリア部において光を透過させる前記単位領域の位置によらず略同一となるように、前記表示部に対して一定の間隔で遮光体を配設する。本開示の表示装置は、少なくとも、前記第１の方向における前記単位領域の幅と、前記遮光体を配設する前記間隔とが略同一である。【選択図】図１
2015001614.tif 000002
【特許請求の範囲】
【請求項１】
表示部と、
第１の方向に垂直な第２の方向に延伸する複数の単位領域が、前記第１の方向に列状に配置されるバリア部と
を有し、
前記単位領域から透過される光の透過率が、前記バリア部において光を透過させる前記単位領域の位置によらず略同一となるように、前記表示部に対して一定の間隔で遮光体を配設する表示装置。
【請求項２】
少なくとも、前記第１の方向における前記単位領域の幅と、前記遮光体を配設する前記間隔とが略同一である請求項１に記載の表示装置。
【請求項３】
利用者の目の位置を検出する撮像部と、
前記利用者の目の位置に基づいて、前記複数の単位領域のうち光を透過させる領域を決定する制御部と、
を有する請求項１又は請求項２に記載の表示装置。
【請求項４】
前記表示部は、右目用の画像を表示する第１の画素、及び、左目用の画像を表示する第２の画素、を有し、
前記バリア部は、右目用の画像及び左目用の画像が、それぞれ、利用者の左目及び右目に入らないように遮光する請求項１乃至請求項３のいずれか一項に記載の表示装置。
【請求項５】
表示部と、
前記表示部の表示面側に配置されるレンズ部と、
前記レンズ部から射出される光の輝度が、前記レンズ部の光の射出位置によらず略同一となるように、前記表示部に対して一定の間隔で遮光体を配設する表示装置。
【発明の詳細な説明】
【技術分野】
【０００１】
本発明は、表示装置に関する。
【背景技術】
【０００２】
従来、表示装置などに適用される技術として、利用者の視点位置に基づいて、表示部に積層された光学装置を制御するヘッドトラッキング技術、アイトラッキング技術などが知られている。ところで、利用者と表示装置との位置関係が変化することによって、表示装置から利用者の眼に到達する光の輝度が変化し、利用者に違和感を与える、いわゆるモアレが発生することがある。
【０００３】
図２６及び図２７は、モアレについて説明するための図である。図２６では、例えば、表示装置を構成する表示部１４と光学装置であるバリア部１６とが、この順に積層されている。図２６に示すステップＳ１１では、表示部１４における画素Ｐ１の箇所の光のみが、バリア部１６の所定の領域１６ａを介して利用者の眼Ｅ１に入射される。一方、図２６に示すステップＳ１２のように、利用者が表示装置に接近する方向へ移動した場合、表示部１４において画素Ｐ１及び画素Ｐ２が隣り合う箇所（図２６に示すＭ１乃至Ｍ４参照）の光が、バリア部１６の所定の領域１６ａを介して利用者の眼Ｅ１に入射される。
【０００４】
すなわち、図２６に示すステップＳ１１では、図２７に示すステップＳ２１に示すように、利用者の眼Ｅ１が、画素Ｐ１のほぼ中央を捉える。このため、利用者は、画素Ｐ１の表示色に対応する所定の輝度の光を感じ取ることになる。一方、図２６に示すステップＳ１２では、図２７のステップＳ２２に示すように、利用者の眼Ｅ１が、隣り合う画素Ｐ１及び画素Ｐ２に加えて、画素Ｐ１及び画素Ｐ２の境界にある領域Ａ１を捉える。領域Ａ１には、信号線、トランジスタなどが配置されるので、画素Ｐ１及び画素Ｐ２とは光の透過率が異なる。例えば、隣り合う画素Ｐ１及び画素Ｐ２の輝度が同じであると仮定した場合、利用者は、領域Ａ１の分だけ輝度が減算された光を感じ取ることになる。このように、例えば、図２６のステップＳ１１及びステップＳ１２に示すように、例えば、利用者が表示装置に接近し、利用者と表示装置との位置関係が変化することによって、利用者の眼Ｅ１に到達する光の輝度が変化する場合がある。利用者の眼Ｅ１に到達する光の輝度の変化は、利用者に違和感を与える。これが、いわゆるモアレに相当する。上記ヘッドトラッキング技術などでは、利用者と表示装置との位置関係の変化に追従する性能に限界があり、モアレの発生を防止することが難しいという問題がある。そこで、特許文献１では、モアレの発生を防止することを目的として、光学装置であるバリア部と、表示装置との間の距離を調整する技術が開示されている。
【先行技術文献】
【特許文献】
【０００５】
【特許文献１】特開２０１２−２４２４４３号公報
【発明の概要】
【発明が解決しようとする課題】
【０００６】
特許文献１に開示されている技術は、原理的には可能である。しかしながら、ミクロン単位の非常に精密な制御を要求される点、バリアと表示装置とを搭載するモジュールの設計サイズの変更を要する点、バリアと表示装置との間に発生する空気層による光学特性の劣化が懸念される点などの問題がある。
【０００７】
本技術は、かかる問題点に鑑みてなされたもので、その目的は、精密な制御及び設計サイズの変更などを要することなく、かつ、光学特性を維持したまま、簡易にモアレを改善することができる表示装置を提供することにある。
【課題を解決するための手段】
【０００８】
本開示の表示装置は、表示部と、第１の方向に垂直な第２の方向に延伸する複数の単位領域が、前記第１の方向に列状に配置されるバリア部とを有し、前記単位領域から透過される光の透過率が、前記バリア部において光を透過させる前記単位領域の位置によらず略同一となるように、前記表示部に対して一定の間隔で遮光体を配設する。
【０００９】
本開示の表示装置は、例えば、バリア部の単位領域から透過される光の透過率が、バリア部において光を透過させる単位領域の位置によらず略同一となるように、表示部に対して、一定間隔で遮光体を配設する。このように、遮光体を配設するだけで、ヘッドトラッキングによる単位領域の切り換え、あるいは利用者の接近により、バリア部の単位領域と表示部との位置関係が遷移したとしても、利用者の眼に到達する光の輝度の変化を抑制することができ、その結果、簡易にモアレを改善することができる。
【発明の効果】
【００１０】
本開示の表示装置は、精密な制御及び設計サイズの変更などを要することなく、かつ、光学特性を維持したまま、簡易にモアレを改善することができる。
【図面の簡単な説明】
【００１１】
【図１】図１は、実施形態１に係る表示装置の機能構成の一例を示すブロック図である。
【図２】図２は、図１に示す表示装置のバックライトと表示部とバリア部の構成の一例を示す斜視図である。
【図３】図３は、表示部の画素とバリア部の単位領域との関係を示す斜視図である。
【図４】図４は、表示部及びバリア部を実装したモジュールの概略構成を示す模式図である。
【図５】図５は、表示部及びバリア部を実装したモジュールの概略断面構造を表す断面図である。
【図６】図６は、表示部の画素表示を表す回路図である。
【図７】図７は、カラー表示における画素の模式図である。
【図８】図８は、モノクロ表示における画素の模式図である。
【図９】図９は、実施形態１における遮光体の配設方法の一例を示す図である。
【図１０】図１０は、実施形態１における遮光体の配設方法の一例を示す図である。
【図１１】図１１は、バリア部の単位領域と表示部との位置関係の遷移に関する一例を示す図である。
【図１２】図１２は、バリア部の単位領域と表示部との位置関係の遷移に関する他の例を示す図である。
【図１３】図１３は、レンズ部の機能の概要を示す図である。
【図１４】図１４は、レンズ部による集光幅を示す図である。
【図１５】図１５は、実施形態２に係る表示装置による制御の流れを示すフローチャートである。
【図１６】図１６は、利用者の眼に入射される光の輝度の一例を示す図である。
【図１７】図１７は、本実施形態に係る表示装置を備えた電子機器の一例を示す図である。
【図１８】図１８は、本実施形態に係る表示装置を備えた電子機器の一例を示す図である。
【図１９】図１９は、本実施形態に係る表示装置を備えた電子機器の一例を示す図である。
【図２０】図２０は、本実施形態に係る表示装置を備えた電子機器の一例を示す図である。
【図２１】図２１は、本実施形態に係る表示装置を備えた電子機器の一例を示す図である。
【図２２】図２２は、本実施形態に係る表示装置を備えた電子機器の一例を示す図である。
【図２３】図２３は、本実施形態に係る表示装置を備えた電子機器の一例を示す図である。
【図２４】図２４は、本実施形態に係る表示装置を備えた電子機器の一例を示す図である。
【図２５】図２５は、本実施形態に係る表示装置を備えた電子機器の一例を示す図である。
【図２６】図２６は、モアレについて説明するための図である。
【図２７】図２７は、モアレについて説明するための図である。
【発明を実施するための形態】
【００１２】
本開示の表示装置を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（表示装置）
１−１．実施形態１
１−２．実施形態２
２．適用例（電子機器）
上記実施形態に係る表示装置が電子機器に適用されている例
３．本開示の構成
【００１３】
以下に説明する各実施形態に係る表示装置は、例えば、表示部に積層されるバリア部を制御することにより、三次元画像を表示させる表示装置などに適用することができる。表示装置の表示部としては、例えば、液晶表示装置（ＬＣＤ：Liquid  Crystal  Display）、ＭＥＭＳ（Micro  Electro  Mechanical  Systems）、有機ＥＬ（Electro‐Luminescence）表示装置、プラズマ表示装置などがある。
【００１４】
各実施形態に係る表示装置は、モノクロ表示対応の表示装置、カラー表示対応の表示装置のいずれにも適用できる。ここで、カラー表示対応の表示装置とした場合、カラー画像を形成する単位となる１つの画素（単位画素）が、複数の副画素（サブピクセル）から構成されることになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素、青色（Ｂｌｕｅ；Ｂ）を表示する副画素の３つの副画素から構成される。
【００１５】
１つの画素は、ＲＧＢの３原色の副画素の組み合わせに限定されず、ＲＧＢの３原色の副画素に更に１色あるいは複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００１６】
［１−１．実施形態１］
（構成）
図１は、実施形態１に係る表示装置の機能構成の一例を示すブロック図である。図２は、図１に示す表示装置のバックライトと表示部とバリア部の構成の一例を示す斜視図である。図３は、表示部の画素とバリア部の単位領域との関係を示す斜視図である。図２及び図３は模式的に表したものであり、実際の寸法、形状と同一とは限らない。図１に示す表示装置１は、例えば、本開示の表示装置の一例である。
【００１７】
表示装置１は、例えば、所定位置から画面を見ている利用者が裸眼で三次元画像を認識できる画像を表示させる。表示装置１は、図１に示すように、バックライト２と、表示部４と、バリア部６と、撮像部８と、制御部９とを有する。表示装置１は、バックライト２、表示部４、及びバリア部６が、例えば、この順で積層されている。
【００１８】
バックライト２は、表示部４に向けて面状の光を出射する面状照明装置である。バックライト２は、例えば、光源と導光板とを有し、光源から出射された光を導光板で散乱させつつ、表示部４と対面する出射面から出力する。なお、表示部４として有機ＥＬ表示を用いた場合は、表示部４そのものが発光するので、バックライト２は設けなくてもよい。
【００１９】
表示部４は、画像を表示する表示装置である。表示部４は、図３に示すように複数の画素５０が二次元配列で配置された液晶パネルである。表示部４は、バックライト２から出射された光が入射する。表示部４は、例えば、各画素５０に入射される光を透過させるか、遮断させるかを切り換えることで、表示面（例えば、図２の４Ｓ）に画像を表示させる。
【００２０】
バリア部６は、光学装置である。バリア部６は、表示部４の画像が表示される表示面（例えば、図２の４Ｓ）、つまり、バックライト２と対面している面とは反対側の面に配置されている。バリア部６は、表示部４の表示面（例えば、図２の４Ｓ）に対して水平な第１の方向（例えば、図２及び図３に示すＸ軸方向）に垂直な第２の方向（例えば、図２及び図３に示すＹ軸方向）に延伸する複数の単位領域１５０を列状に配置する。バリア部６は、液晶パネルであり、目的とする透過領域あるいは遮光領域に部分的に電圧を印加して液晶を配向させることにより、各単位領域１５０に入射される光を、光を射出する側の面（例えば、図２の６Ｓ）から透過させるか、遮断させるかを切り換える。これにより、バリア部６は、表示部４に表示される画像を透過させる領域と遮断させる領域とを調整する。なお、バリア部６の代わりに、液晶レンズなどを表示装置１に適用してもよい。なお、図２に示す構成では、バリア部６は、表示部４の画像が表示される表示面、つまり、バックライト２と対面している面とは反対側の面に配置したが、バリア部６を、バックライト２及び表示部４との間に設けてもよい。バックライト２からバリア部６の各単位領域１５０へ入射される光を、バリア部６の光を射出する側の面から透過させるか、遮断させるかを切り換えることにより、表示部４の画像を表示させる領域と表示させない領域とを調整する。
【００２１】
利用者に三次元画像を認識させる場合は、当該複数の画素のうち、右目用の画素と左目用の画素に、それぞれ、右目用の画像及び左目用の画像を表示させる。右目用の画像及び左目用の画像は、それぞれ、利用者の左目及び右目に入らないようにバリア部６により遮光される。
【００２２】
（表示部４及びバリア部６）
次に、表示部４及びバリア部６の構成例を説明する。図４は、表示部及びバリア部を実装したモジュールの概略構成を示す模式図である。図５は、表示部及びバリア部を実装したモジュールの概略断面構造を表す断面図である。図６は、表示部の画素表示を表す回路図である。図７は、カラー表示における画素の模式図である。図８は、モノクロ表示における画素の模式図である。
【００２３】
表示装置１は、図４に示すように、表示部４とバリア部６が積層されている。また、表示装置１は、表示部４とバリア部６とが接着層４０で接着されている。接着層４０は、表示部４とバリア部６との透光性の部分に対して透過率の変化が少ない透光性の接着剤、例えば樹脂で形成されている。表示装置１は、接着層４０を用いて表示部４とバリア部６とを積層させることで、表示部４とバリア部６との間に空気層がない状態とすることができる。なお、接着層４０は、光学等方性となる。つまり接着層４０は、偏光特性がない。
【００２４】
表示部４は、透光性基板２１と、透光性基板２１上に形成された画素アレイ部１４と、インターフェース（Ｉ／Ｆ）及びタイミングジェネレータの機能を備えるドライバＩＣ１６と、フレキシブルプリント基板（ＦＰＣ（Flexible  printed  circuits））１８と、を備える。表示部４は、透光性基板２１の上に画素アレイ部１４とドライバＩＣ１６とフレキシブルプリント基板１８が設けられている。このように、表示部４は、透光性基板２１に画素アレイ部１４が積層されている。また、表示部４は、画素アレイ部１４の透光性基板２１とは反対側、つまりバリア部６側に偏光板３５が配置されている。また、表示部４は、透光性基板２１の画素アレイ部１４とは反対側の面、つまりバックライト２側の面に偏光板３６が配置されている。つまり、表示部４は、バックライト２からバリア部６に向けて、偏光板３６、透光性基板２１、画素アレイ部１４、偏光板３５の順で積層されている。また、表示部４は、偏光板３５に接着層４０が積層されている。
【００２５】
画素アレイ部１４は、液晶層を含む画素５０が表示上の１画素を構成するユニットがｍ行×ｎ列に配置されたマトリクス（行列状）構造を有している。ドライバＩＣ１６は、外部から外部信号である、マスタークロック、水平同期信号及び垂直同期信号が入力される。ドライバＩＣ１６は、外部電源の電圧振幅のマスタークロック、水平同期信号及び垂直同期信号を、液晶の駆動に必要な内部電源の電圧振幅にレベル変換し、マスタークロック、水平同期信号及び垂直同期信号としてタイミングジェネレータを通し、垂直スタートパルス、垂直クロックパルス、水平スタートパルス及び水平クロックパルスを生成する。ドライバＩＣ１６は、生成した信号を画素アレイ部１４に与える。フレキシブルプリント基板１８は、一方の端部が透光性基板２１の表面に形成された回路（後述するＴＦＴ層）に接続され、他方の端部が外部の回路に接続されている。フレキシブルプリント基板１８は、透光性基板２１を介してドライバＩＣ１６と接続されており、ドライバＩＣ１６への外部信号またはドライバＩＣ１６を駆動する駆動電力を伝送する。
【００２６】
次に、バリア部６は、例えば透光性基板１２１と、透光性基板１２１上に形成された電極部１１４と、フレキシブルプリント基板（ＦＰＣ（Flexible  printed  circuits））１１８と、を備える。ここで、詳細は後述するが本実施形態のバリア部６は、所定の画像の表示と非表示を切り換えるのみであるため、透光性基板１２１上の電極部１１４を用いて表示を切り換える。当該表示の切り替えは、電極部１１４に接続されたドライバを用いて行えばよい。当該ドライバに加えて、インターフェース（Ｉ／Ｆ）及びタイミングジェネレータの機能を備えるドライバＩＣをさらに備えていてもよい。バリア部６は、透光性基板１２１の上に電極部１１４とフレキシブルプリント基板１１８が設けられている。このように、バリア部６は、透光性基板１２１に電極部１１４が積層されている。また、バリア部６は、電極部１１４の透光性基板１２１とは反対側、つまり画像を出力する表示面側に偏光板１３５が配置されている。つまり、バリア部６は、表示部４から画像を出力する面に向けて、透光性基板１２１、電極部１１４、偏光板１３５の順で積層されている。また、バリア部６は、透光性基板１２１の電極部１１４側とは反対側の面に接着層４０が積層されている。つまり接着層４０は、偏光板３５と透光性基板１２１とに挟まれている。
【００２７】
電極部１１４は、後述する液晶層を含む画素５０が、表示上の１画素を構成するユニットが１方向に列状に配置された構造を有している。フレキシブルプリント基板１１８は、一方の端部が透光性基板１２１上の電極部１１４又は電極部１１４に接続される配線に接続され、他方の端部が外部の回路に接続されている。フレキシブルプリント基板１１８は、透光性基板１２１の回路への外部信号または回路を駆動する駆動電力を伝送する。
【００２８】
次に、図５を用いて、表示部４およびバリア部６の積層構造について詳細に説明する。表示部４は、ＦＦＳ（Ｆｒｉｎｇｅ  Ｆｉｅｌｄ  Ｓｗｉｃｈｉｎｇ）方式等のいわゆる横電界方式の液晶表示パネルである。横電界方式として、ＦＦＳ方式のほかにＩＰＳ方式（Ｉｎ  Ｐｌａｎｅ  Ｓｗｉｔｃｈｉｎｇ）を用いてもよい。また、本実施形態の表示部４は、横電界方式の液晶表示パネルとしたが、縦電界方式の液晶表示パネルとしてもよい。図５に示すように、表示部４は、透光性基板２１を含む画素基板２０と、この画素基板２０の表面に垂直な方向に対向して配置された対向基板３０と、画素基板２０に積層された共通電極３３と、画素基板２０と対向基板３０との間に挿設された液晶層６０と、偏光板３５と、偏光板３６とを備えている。
【００２９】
画素基板２０は、透光性基板２１と、透光性基板２１上に設けられた能動素子（スイッチング素子）、例えば薄膜トランジスタ（ＴＦＴ；Ｔｈｉｎ  Ｆｉｌｍ  Ｔｒａｎｓｉｓｔｏｒ）素子Ｔｒが画素に対応して形成されたＴＦＴ層２１ａと、透光性基板２１のＴＦＴ層２１ａ上にマトリックス状に配設された複数の画素電極２２と、絶縁層２４とを有する。ＴＦＴ層２１ａには、図６に示す各画素５０の薄膜トランジスタ（ＴＦＴ；Ｔｈｉｎ  Ｆｉｌｍ  Ｔｒａｎｓｉｓｔｏｒ）素子Ｔｒ、各画素電極２２に画素信号を供給する画素信号線ＳＧＬ、各ＴＦＴ素子Ｔｒを駆動する走査信号線ＧＣＬ等の配線が形成されている。また、透光性基板２１は、ＴＦＴ層２１ａ上に画素電極２２が形成されている面の反対側の面に偏光板３６が積層されている。絶縁層２４は、窒化シリコン等の絶縁性を有する材料で形成された膜であり、画素電極２２及びＴＦＴ層２１ａの表面に積層されている。絶縁層２４は、画素電極２２と共通電極３３とを絶縁する。
【００３０】
共通電極３３は、画素基板２０の絶縁層２４に積層されたシート状の電極である。共通電極３３は、インジウム錫酸化物（Ｉｎｄｉｕｍ  Ｔｉｎ  Ｏｘｉｄｅ：ＩＴＯ）や、インジウム亜鉛酸化物（Ｉｎｄｉｕｍ  Ｚｉｎｃ  Ｏｘｉｄｅ）ＩＺＯ等の透光性導電性材料により形成された透光性の導電体である。共通電極３３は、共通電極配線に接続される。本実施形態の共通電極３３は、シート状の電極としたが、複数に分割した分割電極としてもよい。この場合、共通電極３３は、例えば、１つの分割電極が１つの画素電極２２（１行を構成する画素電極２２）に対応するように配置されている。また、共通電極３３は、１つの分割電極が複数の画素電極２２に共通の板状の電極としてもよい。共通電極３３は、透光性基板２１の表面に対して垂直な方向（例えば、Ｚ軸方向）において、画素電極２２に対向し、透光性基板２１の表面に平行な面において、上述した画素信号線ＳＧＬが延在する方向と平行な方向に延在している。共通電極３３は、図示しない導電性を有するコンタクト導電柱を介して、駆動電極ドライバから共通電極３３に交流矩形波形の共通信号が印加されるようになっている。
【００３１】
画素信号線ＳＧＬは、透光性基板２１の表面と平行な平面に延在し、画素に画像を表示するための画素信号を供給する。図６に示す画素基板２０は、マトリックス状に配列した複数の画素５０を有している。画素５０は、ＴＦＴ素子Ｔｒ及び液晶素子ＬＣを備えている。ＴＦＴ素子Ｔｒは、図６に示す例では、ｎチャネルのＭＯＳ（Ｍｅｔａｌ  Ｏｘｉｄｅ  Ｓｅｍｉｃｏｎｄｕｃｔｏｒ）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が共通電極３３に接続されている。
【００３２】
画素５０は、走査信号線ＧＣＬにより、画素基板２０の同じ行に属する他の画素と互いに接続されている。走査信号線ＧＣＬは、ゲートドライバと接続され、ゲートドライバより走査信号（Ｖｓｃａｎ）が供給される。また、画素５０は、画素信号線ＳＧＬにより、画素基板２０の同じ列に属する他の画素と互いに接続されている。画素信号線ＳＧＬは、ソースドライバと接続され、ソースドライバより画素信号Ｖｐｉｘが供給される。さらに、画素５０は、共通電極３３により、画素基板２０の同じ列に属する他の画素と互いに接続されている。共通電極３３は、駆動電極ドライバと接続され、駆動電極ドライバより駆動信号Ｖｃｏｍが供給される。つまり、図６に示す例では、同じ一行に属する複数の画素５０が一本の共通電極３３を共有するようになっている。
【００３３】
表示部４は、ゲートドライバにより走査信号（Ｖｓｃａｎ）を、図６に示す走査信号線ＧＣＬを介して、画素５０のＴＦＴ素子Ｔｒのゲートに印加することにより、画素基板２０にマトリックス状に形成されている画素５０のうちの１行（１水平ライン）を表示駆動の対象として順次選択する。表示部４は、ソースドライバにより画素信号Ｖｐｉｘを、図６に示す画素信号線ＳＧＬを介して、順次選択される１水平ラインを構成する各画素５０にそれぞれ供給する。そして、これらの画素５０では、供給される画素信号Ｖｐｉｘに応じて、１水平ラインの表示が行われるようになっている。表示部４は、駆動信号Ｖｃｏｍを印加し、共通電極３３を駆動する。
【００３４】
上述したように、表示部４は、走査信号線ＧＣＬを時分割的に線順次走査するように駆動することにより、１水平ラインが順次選択される。また、表示部４は、１水平ラインに属する画素５０に対して、画素信号Ｖｐｉｘを供給することにより、１水平ラインずつ表示が行われる。この表示動作を行う際、表示部４は、その１水平ラインに対応する共通電極３３を含むブロックに対して駆動信号Ｖｃｏｍを印加するようになっている。
【００３５】
対向基板３０は、ガラス基板３１と、このガラス基板３１の一方の面に形成されたカラーフィルタ３２と、ガラス基板３１とは反対側にあるカラーフィルタ３２の表面上に形成された複数の共通電極３３とを含む。ガラス基板３１の他方の面には、偏光板３５が配設されている。また、偏光板３５のガラス基板３１側とは反対側の面には、バリア部６が積層されている。
【００３６】
カラーフィルタ３２は、例えば赤（Ｒ）、緑（Ｇ）、青（Ｂ）の３色に着色されたカラーフィルタを周期的に配列して、上述した図６に示す各画素５０にＲ、Ｇ、Ｂの３色が１組として対応付けられている。具体的には、図７に示すように、カラー画像を形成する単位となる１個の画素、すなわち単位画素５は、例えば、複数の副画素（サブピクセル）を含む。この例では、単位画素５は、Ｒを表示する副画素５０Ｒと、Ｂを表示する副画素５０Ｂと、Ｇを表示する副画素５０Ｇとを含む。単位画素５が有する副画素５０Ｒ、５０Ｂ、５０Ｇは、Ｘ方向、すなわち表示装置１の行方向に向かって配列される。カラーフィルタ３２は、透光性基板２１の表面に対して垂直な方向（例えば、図２及び図３に示すＺ軸方向）において、液晶層６０と対向する。なお、カラーフィルタ３２は、異なる色に着色されていれば、他の色の組み合わせであってもよい。
【００３７】
単位画素５は、さらに１色又は複数色の副画素を有していてもよい。液晶表示装置がモノクロ表示のみに対応する場合、図８に示すように、モノクロ画像を形成する単位となる１個の画素、すなわち単位画素５Ｍは、画素５０（カラー画像における副画素）に相当する。単位画素５はカラー画像を表示するための基本単位であり、単位画素５Ｍは、モノクロ画像を表示するための基本単位である。
【００３８】
液晶層６０は、画素基板２０と対向基板３０との間の領域であり、液晶が注入されている。液晶層６０は、電界の状態に応じてそこを通過する光を変調するものである。なお、液晶層６０と画素基板２０との間、及び液晶層６０と対向基板３０との間には、それぞれ配向膜が配設され、また、画素基板２０の下面側には入射側偏光板が配置されてもよい。
【００３９】
ここで、表示部４は、透光性基板２１に画素電極２２、共通電極３３の順、つまり共通電極３３が液晶層６０側となる順で積層したが、これに限定されない。表示部４は、透光性基板２１に共通電極３３、画素電極２２の順、つまり画素電極２２が液晶層６０側となる順で積層してもよい。この場合、画素電極２２とＴＦＴ素子Ｔｒ等とは、共通電極３３に接しない配線で接続されている。
【００４０】
バリア部６は、バリア電極（画素電極）と共通電極とが液晶層を挟んで配置されている縦電界方式の液晶表示パネルである。バリア部６は、透光性基板であるガラス基板１２１上に電極部１１４が形成されている。電極部１１４は、ガラス基板１２１上に形成された列状に配設された複数のバリア電極１２２と、このガラス基板１２１の表面に垂直な方向に対向して配置された対向基板１３０と、ガラス基板１２１と対向基板１３０との間に挿設された液晶層１６０と、を有する。また、バリア部６は、対向基板１３０側の表面には偏光板１３５が積層されている。
【００４１】
バリア電極１２２は、図３に示す単位領域１５０と同様の形状であり、第１方向に沿って延在する細長い板形状である。バリア電極１２２は、第２方向に複数列状に配置されている。バリア電極１２２は、フレキシブルプリント基板１１８を介して電圧が印加される。バリア電極１２２は、電圧が印加されると共通電極１３３との間で電界を形成する。バリア電極１２２は、印加される電圧によって共通電極１３３を形成する電界が変化する。
【００４２】
対向基板１３０は、ガラス基板１３１と、このガラス基板１３１の一方の面に形成された共通電極１３３と、を含む。対向基板１３０は、オーバーコート層を含んでいてもよい。ガラス基板１３１の他方の面には、偏光板１３５が配設されている。共通電極１３３は、シート状の電極である。共通電極１３３は、ＩＴＯや、ＩＺＯ等の透光性導電性材料により形成された透光性の導電体である。共通電極１３３は、後述する共通電極配線に接続され、いわゆる共通電極として作動する。
【００４３】
本実施形態に係る共通電極１３３は、バリア部６の共通駆動電極（対向電極）として機能する。なお、バリア部６の共通電極１３３は、全領域を同期させて駆動させるが、バリア電極１２２が並んでいる方向に複数に分割してもよい。共通電極１３３は、図示しない導電性を有するコンタクト導電柱（例えば、積水化学工業製  ミクロパールＡＵ）を介して、駆動電極ドライバから共通電極１３３に交流矩形波形の共通信号が印加されるようになっている。
【００４４】
液晶層１６０は、ガラス基板１２１と対向基板１３０との間の領域であり、液晶が注入されている。液晶層１６０は、電界の状態に応じてそこを通過する光を変調するものであり、例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶が用いられる。バリア部６は、液晶層１６０とガラス基板１２１との間に配向膜が設けられ、液晶層１６０と対向基板１３０との間に配向膜が設けられている。配向膜は、液晶層１６０の液晶の配向方向（ラビング方向）を所定の方向にする。バリア部６は、以上のような構造とすることで、積層構造を簡単にすることができる。なお、バリア部６は、表示部４のように、ガラス基板１２１上にＴＦＴ素子を設け、ＴＦＴ素子でバリア電極１２２に印加する電圧を制御してもよい。ガラス基板の代わりに、透光性材料により形成される透光性基板を用いてもよい。
【００４５】
表示部４及びバリア部６は、以上のような構成であり、制御部９からの信号に基づいて、画素電極２２、バリア電極１２２に印加する電圧を切り換えることで、利用者が三次元で視認する画像を表示させる。
【００４６】
撮像部８は、カメラ等の画像を撮影する機器である。例えば、バリア部６を制御して、三次元画像を表示する表示装置では、いわゆるヘッドトラッキング技術などが利用される。このヘッドトラッキング技術では、利用者の右眼に右眼用の画像が入射され、利用者の左眼に左眼用の画像が入射されるように、利用者の位置情報に基づいて、バリア部６の光の透過及び遮断が制御される。撮像部８により取得される利用者の画像は、利用者の位置（例えば、眼球位置）を特定するために用いられる。
【００４７】
制御部９は、表示装置１の各部の動作を制御する。具体的には、制御部９は、バックライト２の点灯及び消灯や、点灯時の光量及び光の強度を制御し、表示部４に表示させる画像を制御し、バリア部６の各単位領域１５０の動作（透過・遮断）を制御し、撮像部８の撮像動作を制御する。制御部９は、撮像部８により撮影される利用者の画像を用いて、ヘッドトラッキングを実行し、表示部４に表示させる画像及びバリア部６の各単位領域１５０の動作（透過・遮断）を制御することにより、三次元画像の表示を実現する。
【００４８】
制御部９は、例えば、演算装置であるＣＰＵ（Ｃｅｎｔｒａｌ  Ｐｒｏｃｅｓｓｉｎｇ  Ｕｎｉｔ）と、記憶装置であるメモリとを備え、これらのハードウェア資源を用いてプログラムを実行することによって各種の機能を実現することもできる。具体的には、制御部９は、例えば、記憶部（図示せず）に記憶されているプログラムを読み出してメモリに展開し、メモリに展開されたプログラムに含まれる命令をＣＰＵに実行させる。そして、制御部９は、ＣＰＵによる命令の実行結果に応じて、バックライト２の点灯及び消灯や、点灯時の光量及び光の強度を制御し、表示部４に表示させる画像を制御し、バリア部６の各単位領域１５０の動作（透過・遮断）を制御したりする。
【００４９】
（遮光体の配設方法）
以下、実施形態１における遮光体の配設方法について説明する。図９及び図１０は、実施形態１における遮光体の配設方法の一例を示す図である。図９及び図１０に示す４ｐは、表示部４の一部分を表している。図９及び図１０に示す５０ｘ及び５０ｙは、表示部４に配置された画素を表している。図９及び図１０に示す７０は、遮光体を表している。図９に示すｄ１は、遮光体７０の幅を表している。図９及び図１０に示すＷ１は、例えば、ヘッドトラッキングを実行する際のトラッキング方向（Ｘ軸方向）における画素幅を表している。図９及び図１０に示すｈ１は、遮光体７０を配設する間隔を表している。図１０に示す１５０ｐは、光が透過される単位領域１５０の一部を表しており、以下の説明において開口と表記する。図１０に示すｋ１は、光が透過される単位領域１５０の幅を表している。
【００５０】
図９に示すように、実施形態１に係る表示装置１では、Ｘ軸方向に一定の間隔ｈ１で、表示部４に対して遮光体７０を配設する。このとき、表示部４に遮光体７０を配設する際のＸ軸方向における間隔ｈ１は、図１０に示すように、光が透過される単位領域１５０の開口１５０ｐの幅ｋ１と等しく、かつ間隔ｈ１をｎ倍（ｎは、１以上の整数）したものが、ヘッドトラッキングを実行する際の画素幅Ｗ１と等しくなるという関係を満足するようにする。
【００５１】
図１１は、バリア部の単位領域と表示部との位置関係の遷移に関する一例を示す図である。図１１に示すステップＳ３１乃至ステップＳ３３では、ヘッドトラッキングによるバリア部６の単位領域１５０の切り換え、あるいは利用者のＺ軸方向への移動により、バリア部６の単位領域１５０と表示部４との位置関係が遷移する様子を示している。図１１に示すように、バリア部６の単位領域１５０と表示部４との位置関係が遷移した場合であっても、開口１５０ｐの位置に対応する表示部４の位置において遮光体７０の占める領域が同一となるので、画素５０ｘと画素５０ｙにおける光の透過率が略同一であると仮定すると、開口１５０ｐから透過される光の透過率が略同一となる。なお、人の光の視認能力を考慮する場合、少なくとも、バリア部６の単位領域１５０と表示部４との位置関係の遷移前後で、人の目に視認される光の輝度の差が３０％乃至４０％程度の範囲内に収まるように、遮光体７０が配設されていればよい。また、人の光に対する感覚を考慮する場合（違和感を抑える場合）、少なくとも、バリア部６の単位領域１５０と表示部４との位置関係の遷移前後で、人の目に視認される光の輝度の差が１０％乃至２０％程度の範囲内に収まるように、遮光体７０が配設されていればよい。例えば、遮光体７０は、ブラックマトリクス、信号線、ゲート線などの遮光となり得る層であれば何でもよい。
【００５２】
すなわち、実施形態１に係る表示装置１では、バリア部６の単位領域１５０から透過される光の透過率が、バリア部６において光を透過させる単位領域１５０の位置によらず略同一となるように、表示部４に対して、一定間隔で遮光体７０を配設する。このように、遮光体７０を配設するだけで、ヘッドトラッキングによるバリア部６の単位領域１５０の切り換え、あるいは利用者のＺ軸方向への移動により、バリア部６の単位領域１５０と表示部４との位置関係が遷移したとしても、利用者の眼に到達する光の輝度の変化を抑制することができる。このようなことから、実施形態１に係る表示装置１によれば、従来のように、精密な制御及び設計サイズの変更などを要することなく、かつ光学特性を維持したまま、簡易にモアレを改善することができる。
【００５３】
図９乃至図１１に示す例とはバリア部６の単位領域１５０の幅が異なる場合であっても、表示部４に対して遮光体７０を配設する間隔を、上記図１０に示す場合と同様の関係を満足させることにより、モアレを改善することができる。図１２は、バリア部の単位領域と表示部との位置関係の遷移に関する他の例を示す図である。図１２に示すステップＳ４１乃至ステップＳ４３では、図１１に示す例と同様に、ヘッドトラッキングによるバリア部６の単位領域１５０の切り換え、あるいは利用者のＺ軸方向への移動により、バリア部６の単位領域１５０と表示部４との位置関係が遷移する様子を示している。
【００５４】
図１２に示す例では、Ｘ軸方向に一定の間隔ｈ２で、表示部４に対して遮光体７０を配設する。このとき、間隔ｈ２が、図１２に示すように、単位領域１５０の開口１５０ｐの幅ｋ２と等しく、かつ間隔ｈ２をｎ倍（ｎは、１以上の整数）したものが、ヘッドトラッキングを実行する際の画素幅Ｗ１と等しくなるという関係を満足するようにする。このようにすれば、図１２に示すように、バリア部６の単位領域１５０と表示部４との位置関係が遷移した場合であっても、開口１５０ｐの位置に対応する表示部４の位置において遮光体７０の占める領域が同一となるので、画素５０ｘと画素５０ｙにおける光の透過率が略同一であると仮定すると、開口１５０ｐから透過される光の透過率が略同一となる。
【００５５】
上記の実施形態１において、バリア部６の代わりに、液晶レンズ、あるいはレンチキュラーレンズなどのレンズ部を表示装置１に適用してもよい。レンズ部を表示部４が有する画素に集光するように設定することによって、レンズ部は、バリア部６と同様の機能を実現する。図１３は、レンズ部の機能の概要を示す図である。図１４は、レンズ部による集光幅を示す図である。
【００５６】
図１３に示すように、レンズ部Ｒ１は、利用者に三次元画像を認識させる場合、表示部４が有する複数の画素（例えば、５０Ｘ，５０Ｙ）に表示される画像のうち、右眼用画像が利用者に右眼（例えば、Ｅ１）に入射され、左眼用画像が左眼（例えば、Ｅ２）に入射されるように、光の進行方向を屈折させる。表示装置１は、レンズ部Ｒ１に対して、電極により、段階的に異なる電圧を印加する。これにより、レンズ部Ｒ１の一部を構成する液晶層の液晶分子が、レンズ状の凸形状を形成するように配向する。この結果、レンズ部Ｒ１は、射出する光の進行方向を屈折させる。
【００５７】
バリア部６の代わりにレンズ部Ｒ１を適用した場合、図１４に示すレンズ部Ｒ１の集光幅ＣＲ１が、バリア部６の単位領域１５０に対応する箇所となる。この集光幅ＣＲ１は、例えば、表示部４とレンズ部Ｒ１との距離、レンズ部Ｒ１に印加する電圧などにより決定される。そして、バリア部６の単位領域１５０と同様に、集光幅ＣＲ１の幅が変化することなく、常に一定であるとの前提に立つ場合には、表示装置１にレンズ部Ｒ１を適用した場合にも、モアレが発生する恐れがある。そこで、上記実施形態１のように、表示部４に対して、一定間隔で遮光体７０を配設することにより、レンズ部Ｒ１から集光幅ＣＲ１で射出される光の輝度が、レンズ部Ｒ１における光の射出位置によらず略同一となる。この結果、利用者の眼に到達する光の輝度の変化を抑制することができ、バリア部６の代わりに、レンズ部Ｒ１を表示装置１に適用した場合であっても、簡易にモアレを改善できる。
【００５８】
［１−２．実施形態２］
上記実施形態１では、開口１５０ｐから透過される光の透過率が略同一となるように、一定間隔で表示部４に対して遮光体７０を配設する例を説明した。以下の実施形態２では、開口１５０ｐから透過される光の透過率が略同一となるように、バリア部６の単位領域１５０の透過率を調整する例について説明する。
【００５９】
図１５は、実施形態２に係る表示装置による制御の流れを示すフローチャートである。図１５に示す制御は、制御部９により実行される。
【００６０】
図１５に示すように、制御部９は、撮像部８により撮影された利用者の画像に基づいて、利用者の眼の位置を検出する（ステップＳ１０１）。例えば、制御部９は、利用者の画像から利用者の顔の輪郭を検出して、画像内における利用者の顔の位置を特定した後、パターンマッチングなどにより顔の中に含まれる利用者の眼の位置を特定し、眼の大きさ及び眼間距離などに基づいて、表示装置１に対する利用者の眼の位置を検出する。あるいは、制御部９は、利用者の画像に含まれる瞳孔、虹彩、強膜の光量の違いに基づいて、画像内における利用者の眼球（右眼及び左眼）の位置を特定することにより、表示装置１に対する利用者の眼の位置を検出してもよい。制御部９は、利用者の眼の位置を検出する際、利用者と、表示部４の表示面４Ｓとの間のＺ軸方向（例えば、図２参照）の距離も合わせて算出する。例えば、制御部９は、利用者と、表示部４の表示面４Ｓとの間のＺ軸方向の距離が、“Ｔ１”であるときに、撮像部８により撮影される画像上での利用者の眼間距離が“ｔ１”であることを予め計測済みであるものとする。そして、制御部９は、例えば、ステップＳ１０１において撮像部８により撮影された画像上における利用者の眼間距離が“０．５×ｔ１”である場合には、表示部４の表示面４Ｓとの間のＺ軸方向の距離を、“０．５×Ｔ１”と算出する。
【００６１】
続いて、制御部９は、利用者の眼の位置に基づいて、バリア部６の表示画像を決定する（ステップＳ１０２）。例えば、制御部９は、表示部４とバリア部６との距離、及び表示装置１（表示部４及びバリア部６）に対する利用者の眼の位置に基づいて、右眼用画像が利用者に右眼に入射され、左眼用画像が左眼に入射されるように、バリア部６の単位領域１５０の中から光を透過させる領域を決定する。一方、制御部９は、クロストークが発生しないように、バリア部６の単位領域１５０の中から光を遮断させる領域を決定する。そして、制御部９は、バリア部６において光を透過させる単位領域１５０と光を遮断させる単位領域１５０との組合せを実現する画像を、バリア部６の表示画像として決定する。
【００６２】
続いて、制御部９は、利用者の眼の位置に基づいて、バリア部６の光の透過率を調整する（ステップＳ１０３）。図１６は、利用者の眼に入射される光の輝度の一例を示す図である。図１６に示すステップＳ５１乃至ステップＳ５２では、ヘッドトラッキングによるバリア部６の単位領域１５０の切り換え、あるいは利用者のＺ軸方向への移動により、バリア部６の単位領域１５０と表示部４との位置関係が遷移する様子を示している。例えば、制御部９は、前回の処理において、利用者の眼Ｅ１に到達する光の輝度が、Ａ（ｃｄ／ｍ２：カンデラ平方メートル）であったとする（例えば、ステップＳ５１参照）。続いて、制御部９は、今回の処理において、ステップＳ１０１により検出された利用者の眼Ｅ１の位置に応じて、利用者の眼Ｅ１に到達する光の輝度がＡ−Ｂ（ｃｄ／ｍ２：カンデラ平方メートル）であったとする（例えば、ステップＳ５２参照）。この場合には、制御部９は、Ａ≒α×（Ａ−Ｂ）となるような調整率αを算出し、調整率αに基づいてバリア部６の光の透過率を上げる。一方、制御部９は、図１６に示す例とは逆に、前回の処理において利用者の眼Ｅ１に到達する光の輝度がＡ−Ｂ（ｃｄ／ｍ２）で、今回の処理において利用者の眼Ｅ１に到達する光の輝度がＡ（ｃｄ／ｍ２）であった場合には、Ａ×α≒（Ａ−Ｂ）となるような調整率αを算出し、調整率αに基づいてバリア部６の光の透過率を下げる。
【００６３】
例えば、調整率αは、開口１５０ｐにおける画素幅と遮光体７０の幅との比率により算出される。例えば、図１６に示すステップＳ５２において、開口１５０ｐにおける画素幅が３０（μｍ：マイクロメートル）で、開口１５０ｐにおける遮光体７０の幅が５（μｍ：マイクロメートル）であったとする。このとき、光の透過率を上げる場合の調整率αは、遮光体７０により遮光される分だけ透過率を上げればよいので、調整率α＝３０／（３０−５）となる。一方、光の透過率を下げる場合の調整率αは、遮光体７０により遮光される分だけ透過率を下げればよいので、調整率α＝（３０−５）／３０となる。このようにして、制御部９は、バリア部６の光の透過率を調整することで、利用者の眼Ｅ１に到達する光の輝度が略同一となるようにすることができる。
【００６４】
続いて、制御部９は、表示部４の表示画像を決定する（ステップＳ１０４）。例えば、制御部９は、バリア部６の表示画像に基づいて、右眼用画像及び左眼用画像の画素表示を決定した後、右眼用画像及び左眼用画像との間で所定の視差が発生するように調整することにより表示画像を決定する。続いて、制御部９は、レンダリングを行い（ステップＳ１０５）、画像を表示部４に表示する（ステップＳ１０６）。
【００６５】
続いて、制御部９は、画像の表示を終了するかを判定する（ステップＳ１０７）。制御部９は、判定の結果、画像の表示を終了する場合には（ステップＳ１０７，Ｙｅｓ）、図１５に示す制御を終了する。一方、制御部９は、判定の結果、画像の表示を終了しない場合には（ステップＳ１０７，Ｎｏ）、上記ステップＳ１０１の手順に戻って、図１５に示す制御を継続する。
【００６６】
［２．適用例］
本開示の適用例として、上述した表示装置１を電子機器に適用した例を説明する。
【００６７】
図１７乃至図２５は、本実施形態に係る表示装置を備えた電子機器の一例を示す図である。本実施形態に係る表示装置１は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１は、外部から入力された映像信号或いは内部で生成した映像信号を、画像或いは映像として表示するあらゆる分野の電子機器に適用することが可能である。電子機器は、表示装置に映像信号を供給し、表示装置の動作を制御する制御装置を備える。
【００６８】
（適用例１）
図１７に示す電子機器は、本実施形態に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置である。
【００６９】
（適用例２）
図１８及び図１９に示す電子機器は、本実施形態に係る表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置である。図１８に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【００７０】
（適用例３）
図２０に示す電子機器は、本実施形態に係る表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置である。
【００７１】
（適用例４）
図２１に示す電子機器は、本実施形態に係る表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置により構成されている。
【００７２】
（適用例５）
図２２乃至図２４に示す電子機器は、本実施形態に係る表示装置１が適用される携帯電話機である。図２２は携帯電話機を開いた状態での正面図、図２３は携帯電話機を開いた状態での右側面図、図２４は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１が取り付けられている。携帯電話機のディスプレイ５５４は、画像を表示する機能の他に、タッチ動作を検出する機能を有していてもよい。
【００７３】
（適用例６）
図２５に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置である。
【００７４】
［３．本開示の構成］
また、本開示は、以下の構成をとることもできる。
【００７５】
（１）表示部と、第１の方向に垂直な第２の方向に延伸する複数の単位領域が、前記第１の方向に列状に配置されるバリア部とを有し、前記単位領域から透過される光の透過率が、前記バリア部において光を透過させる前記単位領域の位置によらず略同一となるように、前記表示部に対して一定の間隔で遮光体を配設する表示装置。
【００７６】
（２）少なくとも、前記第１の方向における前記単位領域の幅と、前記遮光体を配設する前記間隔とが略同一である（１）に記載の表示装置。
【００７７】
（３）利用者の目の位置を検出する撮像部と、前記利用者の目の位置に基づいて、前記複数の単位領域のうち光を透過させる領域を決定する制御部と、を有する（１）又は（２）に記載の表示装置。
【００７８】
（４）前記表示部は、右目用の画像を表示する第１の画素、及び、左目用の画像を表示する第２の画素、を有し、前記バリア部は、右目用の画像及び左目用の画像が、それぞれ、利用者の左目及び右目に入らないように遮光する（１）乃至（３）のいずれかに記載の表示装置。
【００７９】
（５）表示部と、前記表示部の表示面側に配置されるレンズ部と、前記レンズ部から射出される光の輝度が、前記レンズ部の位置によらず略同一となるように、前記表示部に対して一定の間隔で遮光体を配設する表示装置。
【符号の説明】
【００８０】
１  表示装置
２  バックライト
４  表示部
６  バリア部
８  撮像部
９  制御部
【図１】
2015001614.tif 000003
【図２】
2015001614.tif 000004
【図３】
2015001614.tif 000005
【図４】
2015001614.tif 000006
【図５】
2015001614.tif 000007
【図６】
2015001614.tif 000008
【図７】
2015001614.tif 000009
【図８】
2015001614.tif 000010
【図９】
2015001614.tif 000011
【図１０】
2015001614.tif 000012
【図１１】
2015001614.tif 000013
【図１２】
2015001614.tif 000014
【図１３】
2015001614.tif 000015
【図１４】
2015001614.tif 000016
【図１５】
2015001614.tif 000017
【図１６】
2015001614.tif 000018
【図１７】
2015001614.tif 000019
【図１８】
2015001614.tif 000020
【図１９】
2015001614.tif 000021
【図２０】
2015001614.tif 000022
【図２１】
2015001614.tif 000023
【図２２】
2015001614.tif 000024
【図２３】
2015001614.tif 000025
【図２４】
2015001614.tif 000026
【図２５】
2015001614.tif 000027
【図２６】
2015001614.tif 000028
【図２７】
2015001614.tif 000029